(57)【要約】【課題】多数のハンガー体が狭い間隔で並んでいる場合であっても、被着物を使用者が選択したハンガー体に装着する際に、手間と注意力を要さないハンガー装置を提供する。【解決手段】本発明のハンガー装置１００は、複数のハンガー体４と、その複数のハンガー体４をそれぞれ保持する複数の連結部材３と、複数のハンガー体４が、等間隔で平行に並べられた状態で、連結部材３を介して吊り下げられているフレーム２とを有する。とくに、それぞれのハンガー体４は、連結部材３に、ハンガー体４の列方向の回転軸ＲＡを中心にして回転可能に取り付けられている。【選択図】図５
2009011738.tif 000002
【特許請求の範囲】
【請求項１】
複数のハンガー体と、
該複数のハンガー体をそれぞれ保持する複数の連結部材と、
前記複数のハンガー体が、等間隔で平行に並べられた状態で、前記連結部材を介して吊り下げられているフレームとを有するハンガー装置であって、
それぞれの前記ハンガー体は、前記連結部材に、前記ハンガー体の列方向の回転軸を中心にして回転可能に取り付けられていることを特徴とするハンガー装置。
【請求項２】
前記ハンガー体は、前記連結部材が保持している前記ハンガー体の上端部において、前記ハンガー体の列方向の回転軸を中心にして所定の角度回転した状態で係止可能に、前記連結部材に取り付けられている請求項１記載のハンガー装置。
【請求項３】
前記連結部材には、
該連結部材を前記フレームに連結するための吊設部と、
該吊設部に垂直に設けられた垂下部と、
前記ハンガー体の端部を保持するために、前記垂下部を介して設けられた軸支部とが設けられている請求項１または２記載のハンガー装置。
【請求項４】
前記軸支部には、円形の孔または円形状の突出した嵌合部のいずれか一方が形成され、
前記ハンガー体の端部には、他方が形成されており、
前記円形の孔の側縁または前記嵌合部の側縁のいずれか一方には、複数箇所の凹部が所定の角度間隔を空けて形成され、
他方には、前記複数箇所の凹部と噛み合うような１つの凸部が形成されている請求項１、２または３記載のハンガー装置。
【請求項５】
前記各連結部材の前記円形の孔または前記嵌合部が、隣り合う連結部材の前記円形の孔または前記嵌合部と対向するように、前記フレームに吊り下げられており、
前記各連結部材の前記孔または前記嵌合部の中心を連ねた線が、前記ハンガー体の回転の前記回転中心軸である請求項１、２、３または４記載のハンガー装置。
【請求項６】
前記フレームには、前記フレームの２箇所を連結用索条を介して連結された１つのフックと前記フレームの２箇所に設けられた２つのフックとの少なくともいずれか一方が設けられている請求項１記載のハンガー装置。
【発明の詳細な説明】
【技術分野】
【０００１】
本発明は、ハンガー装置に関する。さらに詳しくは、向かい合うように配置された複数のハンガー体に、衣類などの被着物を吊るすためのハンガー装置に関する。
【背景技術】
【０００２】
従来、衣類などを乾燥させたり、収納したりするためにハンガー装置が用いられている。特許文献１には、衣類などを複数のハンガー体４に吊り下げて乾燥させるための物干し器２００が開示されている。図１０に示されるように、物干し器２００は、フレーム２と、フレーム２に取り付けられた複数のハンガー体４と、フレーム２に連結されて、物干し器２００全体を他の構造物に引っ掛けて吊るすためのフック５０、５１とから構成されている。このなかで、ハンガー体４は、フレーム２の短辺方向（図１０、紙面垂直方向）の軸心周りで回転可能に支持されている。さらに、ハンガー体４には、ハンガー体４の前記回転を所定の位置で停止させるための姿勢保持手段が設けられている。このように、ハンガー体４は、所定の位置でその回転を停止するように支持されているので、隣り合うハンガー体４については、ハンガー体４の回転中心から離れた部分で、ある程度の間隔ｄ１〜ｄ４を確保している。隣り合うハンガー体４の間で、ある程度の間隔が確保できれば、使用者によって選択されたハンガー体４に隣り合うハンガー体４は、選択されたハンガー体４への被着物の装着を邪魔しない。
【特許文献１】特開２００４−２６７６８６号公報
【発明の開示】
【発明が解決しようとする課題】
【０００３】
しかしながら、上記従来の技術では、使用者によって選択されたハンガー体４と、使用者によって選択されたハンガー体４に隣り合うハンガー体４との間隔を確保するために、複数のハンガー体４を回転させなければならない、という問題がある。たとえば、図１０において、使用者によって選択されたハンガー体４が、フレーム２の中央部に位置している場合には、フレーム２の端部に位置しているハンガー体４から中央部に位置しているハンガー体４まで、ほぼ全てのハンガー体４を回転させなければならない。さらに、この場合、フレーム２の端部に位置しているハンガー体４では、隣接したハンガー体４に邪魔されない程度に間隔ｄ１を確保することができるが、フレーム２の中央部に位置しているハンガー体４では、隣接したハンガー体４に邪魔されない程度の間隔ｄ４を確保することが難しい。とくに、フレーム２に取り付けられているハンガー体４の数が多いと、隣接したハンガー体４に邪魔されない程度の間隔ｄ４を確保することができず、使用者が誤って隣り合う２つのハンガーを跨ぐように被着物を装着してしまうという問題が生じる。このように、従来のハンガー装置２００では、使用者が選択したハンガー体４に被着物を装着する作業に、複数のハンガー体４に対して操作を施すという手間、および、選択したハンガー体４と隣り合うハンガー体４とを区別するという注意力を要していた。
【０００４】
本発明は、上記従来の問題に鑑みてなされたものであり、多数のハンガー体が狭い間隔で並んでいる場合であっても、被着物を使用者が選択したハンガー体に装着する際に、手間と注意力を要さないハンガー装置を提供することを目的としている。
【課題を解決するための手段】
【０００５】
本発明のハンガー装置によれば、複数のハンガー体と、該複数のハンガー体をそれぞれ保持する複数の連結部材と、前記複数のハンガー体が、等間隔で平行に並べられた状態で、前記連結部材を介して吊り下げられているフレームとを有するハンガー装置であって、それぞれの前記ハンガー体は、前記連結部材に、前記ハンガー体の列方向の回転軸を中心にして回転可能に取り付けられていることにより上記目的が達成される。
【０００６】
さらに、前記ハンガー体は、前記連結部材が保持している前記ハンガー体の上端部において、前記ハンガー体の列方向の回転軸を中心にして所定の角度回転した状態で係止可能に、前記連結部材に取り付けられていることが好ましい。
【０００７】
また、前記連結部材には、該連結部材を前記フレームに連結するための吊設部と、該吊設部に垂直に設けられた垂下部と、前記ハンガー体の端部を保持するために、前記垂下部を介して設けられた軸支部とが設けられていることが好ましい。
【０００８】
また、前記軸支部には、円形の孔または円形状の突出した嵌合部のいずれか一方が形成され、前記ハンガー体の端部には、他方が形成されており、前記円形の孔の側縁または前記嵌合部の側縁のいずれか一方には、複数箇所の凹部が所定の角度間隔を空けて形成され、他方には、前記複数箇所の凹部と噛み合うような１つの凸部が形成されていることが好ましい。
【０００９】
また、前記各連結部材の前記円形の孔または前記嵌合部が、隣り合う連結部材の前記円形の孔または前記嵌合部と対向するように、前記フレームに吊り下げられており、前記各連結部材の前記孔または前記嵌合部の中心を連ねた線が、前記ハンガー体の回転の前記回転中心軸であることが好ましい。
【００１０】
また、前記フレームには、前記フレームの２箇所を連結用索条を介して連結された１つのフックと前記フレームの２箇所に設けられた２つのフックとの少なくともいずれか一方が設けられていることが好ましい。
【発明の効果】
【００１１】
以上説明したように、請求項１の発明によれば、複数のハンガー体が、等間隔で平行に並べられた状態で、フレームに、連結部材を介して吊り下げられており、それぞれのハンガー体は、連結部材に、ハンガー体の列方向の回転軸を中心にして回転可能に取り付けられていることにより、多数のハンガー体が狭い間隔で並んでいる場合であっても、被着物を使用者が選択したハンガー体に装着する際に、手間と注意力を要さない。
【００１２】
請求項２の発明によれば、ハンガー体は、連結部材により保持されているハンガー体の上端部において、前記ハンガー体の列方向の回転軸を中心にして所定の角度回転した状態で係止可能に、連結部材に取り付けられていることにより、ハンガー体を傾けた状態のまま維持することができる。
【００１３】
請求項３の発明によれば、連結部材には、吊設部と、垂下部と、軸支部とが設けられていることにより、ハンガー体を２方向に回転させることができる。
【００１４】
請求項４の発明によれば、軸支部には、円形の孔または円形状の突出した嵌合部のいずれか一方が形成され、ハンガー体の端部には、他方が形成されており、円形の孔の側縁または嵌合部の側縁のいずれか一方には、複数箇所の凹部が所定の角度間隔を空けて形成され、他方には、複数箇所の凹部と噛み合うような１つの凸部が形成されていることにより、ハンガー体の上端部と連結部材の軸支部とが嵌り合い、連結部材はハンガー体を確実に保持することができる。また、ハンガー体の回転角度を設定することができる。
【００１５】
請求項５の発明によれば、各連結部材の円形の孔または嵌合部が、隣り合う連結部材の円形の孔または嵌合部と対向するように、フレームに吊り下げられており、各連結部材の孔または嵌合部の中心を連ねた線が、ハンガー体の回転の回転中心軸であることにより、各ハンガー体を隣り合うハンガー体に対して平行に回転させることができる。
【００１６】
請求項６の発明によれば、フレームには、フレームの２箇所を連結用索条を介して連結された１つのフックとフレームの２箇所に設けられた２つのフックとの少なくともいずれか一方が設けられていることにより、フレームを高所で支持することも、また、フレームを低所で支持することもできる。
【発明を実施するための最良の形態】
【００１７】
本発明のハンガー装置は、複数のハンガー体と、その複数のハンガー体をそれぞれ保持する複数の連結部材と、複数のハンガー体が、等間隔で平行に並べられた状態で、連結部材を介して吊り下げられているフレームとを有する。とくに、それぞれのハンガー体は、連結部材に、ハンガー体の列方向の回転軸を中心にして回転可能に取り付けられている。すなわち、本発明は、各ハンガー体を、隣り合うハンガー体に対して平行に回転させることができるような連結部材を介して、各ハンガー体をフレームに取り付けたものである。
【００１８】
以下で、図面を用いて本発明のハンガー装置を詳細に説明する。
【００１９】
（実施の形態１）
図１は、実施の形態１のハンガー装置１００の全体を説明するための図であり、（ａ）がフレーム２を直線状に開いた状態の側面図、（ｂ）がフレーム２を折畳んだ状態の側面図である。実施の形態１のハンガー装置１００は、図１（ａ）および（ｂ）に示されるように、複数のハンガー体４と、複数のハンガー体４をそれぞれ保持する複数の連結部材３と、複数のハンガー体４が、等間隔で平行に並べられた状態で、連結部材３を介して吊り下げられているフレーム２と、フレーム２に取り付けられ、ハンガー装置１００を他の構造物に引っ掛けて支持するためのフック５とから構成されている。
【００２０】
フレーム２は、細長い形状の部材であり、一対の支持部（以下、第１支持部２１、第２支持部２２という）から構成されている。第１支持部２１と第２支持部２２は、それぞれの一端に設けられた枢設部２４を介して連結されている。フレーム２は、両支持部２１、２２を枢設部２４を中心に互いに回動させることにより、図１（ａ）に示されるような直線状と、図１（ｂ）に示されるような折畳んだ状態とに姿勢変更することができる。フレーム２は、フレーム２の長手方向に延びた縦壁状の１対の側辺部２５と、１対の側辺部２５の間を接続する水平な部分の接続部２６とを有する。接続部２６の上面は、側辺部２５の上面よりやや下方に下がって設けられており、一対の側辺部２５の間に溝２ａが形づくられる。フレーム２の側辺部２５には、連結部材３の一部（後述の吊設部３３）を挿入して、連結部材３を回動（後述の第１の回転）可能に支持するための貫通孔２ｃが複数並んで形成されている。したがって、複数の連結部材３は、フレーム２の側部に沿って直線状に配置される。また、第１支持部２１および第２支持部２２には、枢設部２４が設けられた側の反対側に、フック５を取り付けるための係止部２ｂが設けられ、当実施の形態では、後述の２種のフック５０および５１の取り付けのために２箇所ずつ係止部２ｂ１、２ｂ２が形成されている。
【００２１】
フック５は、中央フック５０と両端フック５１とから構成されている。具体的には、フレーム２には、フレーム２の２箇所を連結用索条を介して連結された１つのフック５０とフレーム２の２箇所に設けられた２つのフック５１とが設けられている。中央フック５０は、フレーム２の係止部２ｂにその一端が回動可能に取り付けられた２つの引張部材５３と、２つの引張部材５３の他端を接続するための接続部材５２と、接続部材５２に回動可能に取り付けられたフック本体５４とを有する。引張部材５３は、フレーム２を折畳んだ際に、第１支持部材２１および第２支持部材２２の長手方向に形成された溝２ａに、ちょうど収まるようにしてもよい。接続部材５２には、略円弧状のくぼみ５２ａが形成されており、フレーム２を折畳んだ際に、枢設部２４がくぼみ５２ａに収まり、枢設部２４を接続部材５２が覆う（図１（ｂ）参照）。また、フック５１は、直接フレーム２の係止部２ｂ１に対して回動可能に取り付けられている。中央フック５０でハンガー装置１００を宙吊りにする場合には、ハンガー装置１００を高所から支持することができ、また、両端フック５１でハンガー装置１００を宙吊りにする場合には、ハンガー装置１００を低所から支持することができる。
【００２２】
図２は、ハンガー体４を説明するための図であり、（ａ）がハンガー体４の全体を示す正面図、（ｂ）が（ａ）のハンガー体４の上端部（以下、取付部という）４０を拡大した正面図であり、（ｃ）が（ｂ）の側面図である。ハンガー体４は、図２（ａ）に示されるように、衣類などの被着物を吊るすための枠体４２と、被着物がハンガー体４から滑り落ちるのを防ぐためのすべり止め部材４３と、ハンガー体４を連結部材３に対して回動可能に連結するための取付部４０とから構成されている。
【００２３】
枠体４２は、図２（ａ）に示されるように、正面視で略三角形状に屈曲した線状の部材であって、底辺部と左右斜辺部とが一体に連なっている。枠体４２を構成する線状の部材の両端部は、上記斜辺部の上端から、互いに所定間隔をおいて平行に上方へ延び、その両端部に取付部４０が形成されている。また、枠体４２の一方の斜辺部には、枠体４２の一部が大きく内方に湾曲した形状の湾曲部４２ａが形成されている。この湾曲部４２ａは、Ｔシャツなどの被着物を装着する際に、襟の縁をこの湾曲部４２ａに滑り込ませることにより、襟周りが伸びて広がるのを防ぐための部分である。
【００２４】
すべり止め部材４３は、枠体４２の底辺部両側に連設され、底辺部との間に布等を挟持できるように底辺部上面と極僅かな隙間を空けて近接する部分を有する湾曲形状に形成されている。ただし、すべり止め部材４３の位置および形状は、とくに限定されない。
【００２５】
取付部４０は、枠体４２と一体に形成され、図２（ｂ）および図２（ｃ）に示されるように、正面視で円形状を呈している。取付部４０には、取付部４０から正面視で円形状に突出した嵌合部４１と、嵌合部４１の側縁に形成された略円弧状の１つの凸部４１ａと、略円弧状を呈し、嵌合部４１が半径方向へ縮むような変形を許容するための第１弧状孔４０ａと第２弧状孔４１ｂとが形成されている。
【００２６】
図３は、連結部材３を説明するための斜視図である。図４は、連結部材３を説明するための側面図である。連結部材３には、図３および図４に示されるように、連結部材３をフレーム２に連結するための吊設部３３と、吊設部３３に垂直に設けられた垂下部３１と、ハンガー体４の取付部４０を保持するために、垂下部３１を介して対向するように設けられた１対の軸支部３２とが設けられている。このように構成された連結部材３を用いることによって、ハンガー体４を２方向に回転させることができる。
【００２７】
吊設部３３は、円柱状を呈しており、フレーム２の側部に形成された貫通孔２ｃに挿入されて、貫通孔２ｃの内側で回転可能に支持される。以下では、吊設部３３を回転中心軸としたハンガー体４の回転を、第１の回転と呼ぶ。吊設部３３には、吊設部３３の先端の、フレーム２の貫通孔２ｃの内径より大きな外径を有する、吊設部３３の先端の第１係合部３３ｂと、フレーム２の貫通孔２ｃの側縁に接するような外径の第２係合部３３ａと、第１係合部３３ｂの先端から吊設部３３の長手方向に沿って略Ｕ字状の切り欠き３３ｃとが形成されている。第１係合部３３ｂは、連結部材３がフレーム２から脱落するのを防止するための部分である。また、第２係合部３３ａは、連結部材３およびハンガー体４の吊設部３３を回転軸とした不必要な揺動を防ぐための部分である。また、切り欠き３３ｃは、第１係合部３３ｂの変形を許容して、フレーム２の側部に形成された貫通孔２ｃに第１係合部３３ｂを挿入可能とするための部分である。
【００２８】
一対の軸支部３２にはそれぞれ、円形の孔（以下、嵌合孔という）３２ａが形成されている。嵌合孔３２ａの周面には、３箇所の略円弧状の凹部（以下、第１の凹部３２ａ１、第２の凹部３２ａ２、第３の凹部３２ａ３という）が所定の角度間隔を空けて形成されている。この第１の凹部３２ａ１と、第２の凹部３２ａ２と、第３の凹部３２ａ３とは同一の形状および同一の大きさであり、上述の嵌合部４１に形成された凸部４１ａと噛み合わされる部分である。また、嵌合孔３２ａの内径は、上述の嵌合部４１の外径とほぼ等しいか、嵌合部４１の外径より若干大きい。したがって、ハンガー体４の嵌合部４１が、連結部材３の嵌合孔３２ａの内側に嵌り込むことにより、ハンガー体４は連結部材３によって保持される。また、第１の凹部３２ａ１および第２の凹部３２ａ２の間隔、ならびに、第２の凹部３２ａ２および第３の凹部３２ａ３の間隔はハンガー体４の回転角度を規制する。たとえば、図４において、第１の凹部３２ａ１および第２の凹部３２ａ２の角度αが４５°、第２の凹部３２ａ２および第３の凹部３２ａ３の角度αが４５°である場合には、ハンガー体４は９０°だけ嵌合孔３２ａを中心として回転が可能である。ハンガー装置１００の連結部材３は、各連結部材３の嵌合孔３２ａが、隣り合う連結部材３の嵌合孔３２と対向するように、フレーム２に吊り下げられている。したがって、各連結部材３の嵌合孔３２ａの中心を連ねた線が、ハンガー体４の回転の仮想の回転中心軸（ハンガー体の列方向の回転軸）ＲＡ（図１（ａ）参照）になる。回転中心軸ＲＡを中心にしてハンガー体４を回転させた場合には、回転対象としているハンガー体４は、隣り合うハンガー体４に対して平行に回転する。以下では、ハンガー体４の回転中心軸ＲＡを中心にして行われる回転を、上記第１の回転と区別するために、第２の回転と呼ぶ。
【００２９】
上記構成により、本実施の形態のハンガー装置１００の使用方法について図面を用いて説明する。
【００３０】
図５は、実施の形態１のハンガー装置１００の使用状態を説明するための図である。衣類の掛け外し時には、図５に示されるように、使用者により選択されたハンガー体４が連結部材３の列（すなわち、各連結部材３の嵌合孔３２ａの中心を連ねた線）を回転中心軸ＲＡにして回転し（第２の回転）、所定の角度だけ傾いた状態で維持される。以下で、使用者の操作に伴う、ハンガー装置１００の動作を説明する。
【００３１】
まず、使用者は、フック５を他の構造物に掛けることによってハンガー装置１００全体を宙吊りにする。具体的には、使用者は、ハンガー装置１００の中央フック５０を持ち上げて、または、両端フック５１を持ち上げて、２つ折りにされたフレーム２（図１（ｂ）参照）を直線状にする。つぎに、使用者は、中央フック５０または両端フック５１を他の構造物に掛け、ハンガー装置１００全体を宙吊りにする。
【００３２】
この状態で、各ハンガー体４は、自重により連結部材３の吊設部３３を回転中心軸とした回転、すなわち、第１の回転を行って、互いに平行で、フレーム２の長手方向に対して垂直な状態となる（図１（ａ）参照）。
【００３３】
つぎに、使用者は、ハンガー装置１００に取り付けられた複数のハンガー体４から、衣類などの被着物を吊り下げたいハンガー体４を１つ選択し、選択したハンガー体４を隣り合うハンガー体４に対して平行な状態なまま、上記回転中心軸ＲＡを中心に回転させて傾ける（第２の回転）。図６は、ハンガー装置１００において、ハンガー体４の動きを説明するための図であり、（ａ）がハンガー体４、連結部材３およびフレーム２の全体を示す図、（ｂ）が（ａ）のハンガー体４の嵌合部４１、連結部材３およびフレーム２を拡大した図である。図６（ａ）の実線で示されるハンガー体４の状態を初期状態の位置とすると、ハンガー体４は、第２の回転操作を受けることによって、初期状態の位置から点線４’あるいは初期状態の位置から点線４”の位置に傾けられる。図６（ｂ）に示されるように、初期状態の位置では、ハンガー体４の嵌合部４１に形成された凸部４１ａが、連結部材３の嵌合孔３２ａの側縁に形成された第２の凹部３２ａ２に噛み合っている。すなわち、使用者が意図的にハンガー体４に第２の回転のための回転力を加えない限り、ハンガー体４は初期状態の位置に留まっている。したがって、ハンガー体４が不必要に第２の回転の回転方向にぐらつくことによる、被着物の脱落もない。
【００３４】
また、使用者が、ハンガー体４に対して第２の回転を行うための回転力を加え、図６（ａ）のハンガー体４を反時計回りに回転させると、ハンガー体４は、図６（ａ）の初期状態から点線４’の位置まで傾く。図７は、ハンガー装置１００において、ハンガー体４を傾けた状態を説明するための図であり、（ａ）がハンガー体４、連結部材３およびフレーム２の全体を示す図、（ｂ）が（ａ）のハンガー体４の嵌合部４１、連結部材３およびフレーム２を拡大した図である。図７（ａ）に示されるように、使用者が、第２の回転を行うための回転力を、選択したハンガー体４に対して加えて、ハンガー体４を反時計回りに回転させると、ハンガー体４の取付部４０に一体に設けられた嵌合部４１も共に反時計周りに回転する。このとき、図７（ｂ）に示されるように、嵌合部４１に形成された凸部４１ａは、連結部材３の嵌合孔３２ａの側縁に形成された第２の凹部３２ａ２から、第２の凹部３２ａ２の隣の凹部３２ａ１または３２ａ３、まで移動する。このようにして、ハンガー体４を傾けた状態でも、ハンガー体４の嵌合部４１に形成された凸部４１ａが、連結部材３の嵌合孔３２ａの側縁に形成された凹部３２ａ１または３２ａ３に噛み合っている。したがって、ハンガー体４に使用者が意図的に第２の回転のための回転力を加えない限り、ハンガー体４は傾いた状態の位置に留まっている。使用者は、ハンガー体４の傾きを目印にして、被着物を選択したハンガー体４に装着する。使用者により選択されたハンガー体４（傾いたハンガー体４）は、他の隣接するハンガー体４と異なる姿勢であるため、その一部が複数のハンガー体４の列から突出している。つまり、使用者により選択されたハンガー体４は、使用者が、選択されたハンガー体４のみに第２の回転操作を施すだけで、他のハンガー体４と一目瞭然に区別される。また、使用者によって選択されたハンガー体４が、隣り合うハンガー体４に対しては平行な状態であるにも関わらず、使用者によって選択されたハンガー体４のみが、回転中心軸ＲＡを軸として傾いた状態では、被着物を引っ掛ける部分がハンガー体４の列から突出しているので、選択したハンガー体４への被着物の装着作業の際に、選択したハンガー体４に隣接するハンガー体４が邪魔になることはない。また、使用者によって選択されたハンガー体４が一目瞭然であるので、使用者が、誤って、隣り合う２つのハンガー体４を跨ぐように被着物を装着することもない。
【００３５】
装着後は、ハンガー体４を元の状態（図６の実線の状態）に戻して被着物を吊しておけばよい。
【００３６】
あるいは、ハンガー装置１００の使用例として、隣り合うハンガー体４同士を全て互い違いになるように傾けた状態で洗濯物などの被着物を干すようにすることもでき、このようにすると風通しが非常に良くなり、多数の洗濯物を効率よく乾燥させることができる。言い換えれば、本発明のハンガー装置１００では、従来よりもハンガー体４の間隔を狭く設け、ハンガー体４の数を従来よりも多くフレーム２に吊り下げることもできる。
【００３７】
以上の実施の形態によれば、本発明のハンガー装置１００は、各ハンガー体４を隣り合うハンガー体４に対して平行に回転させる（第２の回転）ことができるような連結部材３を介して、各ハンガー体４がフレーム２に取り付けられている。したがって、使用者は、使用者が選択したハンガー体４のみに第２の回転操作を施すだけで、使用者が選択したハンガー体４と他のハンガー体４とを一目瞭然に区別することができる。すなわち、多数のハンガー体４が狭い間隔で並んでいる場合であっても、使用者が被着物を使用者により選択されたハンガー体４に装着する際に、手間と注意力を要さない。
【００３８】
なお、上記実施の形態１では、洗濯物などを乾燥するための物干し用のハンガー装置１００について説明したが、本発明はこれに限定されるものではなく、押入れなどで用いられる収納用のハンガー装置、店舗などで用いられる陳列用のハンガー装置であってもよい。
【００３９】
また、上記実施の形態１では、フック５を他の構造物に引っ掛けてハンガー装置１００を吊るしている形態について説明したが、本発明はこれに限定されるものではなく、フレーム２を直接他の構造物に取り付ける形態であってもよい。フック５は、あっても無くてもよい。
【００４０】
また、上記実施の形態１では、フレーム２が折畳み可能な細長い形状の部材である形態について説明したが、本発明はこれに限定されるものではなく、フレーム２を板状の部材にしてもよい。この場合、複数のハンガー体の列をフレーム２に備えることもできる。
【００４１】
また、上記実施の形態１では、２つの別体の連結部材３を用いて、１つのハンガー体４をフレーム２に連結している形態について説明したが、本発明はこれに限定されるものではなく、図８および図９に示されるように、ハンガー体４の２箇所を支持するための連結部材４を単一の部材にしてフレーム２にハンガー体４を連結してもよい。たとえば、図８は、本発明の連結部材３の他の形態を説明するための斜視図である。図９は、図８の連結部材３をフレーム２に連結した状態を説明するための図である。この形態の連結部材３は、フレーム２に設けられた掛止部２３に吊設部３３が支持され、連結部材３がフレーム２に吊り下げられる。
【００４２】
また、上記実施の形態１では、ハンガー体４の取付部４０に円形状の突出した嵌合部４１を形成し、連結部材３の軸支部３２に嵌合孔３２ａを形成して、ハンガー体４の取付部４０を連結部材３の嵌合孔３２ａに嵌め合わせる形態について説明したが、本発明はこれに限定されるものではなく、ハンガー体４の取付部４０に嵌合孔を形成し、連結部材３の軸支部３２に円形状の突出した嵌合部を形成して、連結部材３の嵌合部をハンガー体４の取付部４０に形成された嵌合孔に嵌め合わせる形態であってもよい。
【００４３】
また、上記実施の形態１では、嵌合孔３２ａの側縁に３箇所の凹部３２ａ１、３２ａ２、３２ａ３を形成し、嵌合部４１の側縁に１つの凸部４１ａを形成した形態について説明したが、本発明はこれに限定されるものではなく、嵌合孔の側縁に１つの凸部を形成し、嵌合部の側縁に３箇所の凹部を形成する形態であってもよい。
【００４４】
また、上記実施の形態１では、嵌合孔３２ａの側縁に３箇所の凹部３２ａ１、３２ａ２、３２ａ３を形成した形態について説明したが、本発明はこれに限定されるものではなく、凹部の数は、３箇所より多くても少なくてもよい。
【００４５】
また、上記実施の形態１では、１つのハンガー体４を２箇所で支持する形態について説明したが、本発明はこれに限定されるものではなく、１つのハンガー体を１箇所で支持する形態であってもよい。
【００４６】
また、上記実施の形態１では、回転中心軸ＲＡが直線状の場合について説明したが、本発明はこれに限定されるものではなく、回転中心軸ＲＡが曲線状であってもよい。
【００４７】
また、上記実施の形態１では、使用者が意図的な力を加えずに、自重で第１の回転を行う形態について説明したが、本発明はこれに限定されるものではなく、使用者がハンガー体４に対して意図的な回転力を加えて第１の回転が行われる形態であってもよい。
【００４８】
また、上記実施の形態１では、第２の回転のほかに第１の回転がある場合について説明したが、本発明はこれに限定されるものではなく、第１の回転はあってもなくても構わない。この場合、フレーム２に連結部材３を一体に形成することもできる。
【００４９】
また、上記実施の形態１では、１本のフレーム２に対して各ハンガー体４および連結部材３を取り付けた形態について説明したが、本発明はこれに限定されるものではなく、各ハンガー体および連結部材を、平行に設けられた２本のフレーム部材に対して、跨ぐように取り付けた形態であってもよい。
【００５０】
また、上記実施の形態１では、ハンガー体４および連結部材３をフレーム２に対して着脱不能に設けられた形態について説明したが、本発明はこれに限定されるものではなく、ハンガー体４および連結部材３をフレーム２に対して着脱可能に設けてもよい。
【図面の簡単な説明】
【００５１】
【図１】実施の形態１のハンガー装置の全体を説明するための図であり、（ａ）はフレームを開いた状態の側面図、（ｂ）はフレームを折畳んだ状態の側面図である。
【図２】実施の形態１のハンガー体を説明するための図であり、（ａ）はハンガー体の全体を示す正面図、（ｂ）は（ａ）の取付部を拡大した正面図であり、（ｃ）は（ｂ）の側面図である。
【図３】実施の形態１の連結部材を説明するための斜視図である。
【図４】実施の形態１の連結部材を説明するための側面図である。
【図５】実施の形態１のハンガー装置の使用状態を説明するための図である。
【図６】実施の形態１のハンガー装置において、ハンガー体の動きを説明するための図であり、（ａ）はハンガー体、連結部材およびフレームの全体を示す図、（ｂ）は（ａ）のハンガー体の端部、連結部材およびフレームを拡大した図である。
【図７】実施の形態１のハンガー装置において、ハンガー体を傾けた状態を説明するための図であり、（ａ）はハンガー体、連結部材およびフレームの全体を示す図、（ｂ）は（ａ）のハンガー体の端部、連結部材およびフレームを拡大した図である。
【図８】本発明の連結部材の他の形態を説明するための斜視図である。
【図９】図８の連結部材をフレームに連結した状態を説明するための図である。
【図１０】従来のハンガー装置を説明するための側面図である。
【符号の説明】
【００５２】
２  フレーム
３  連結部材
３１  垂下部
３２  軸支部
３２ａ  嵌合孔（円形の孔）
３２ａ１  第１の凹部（凹部）
３２ａ２  第２の凹部（凹部）
３２ａ３  第３の凹部（凹部）
３３  吊設部
４  ハンガー体
４０  取付部（ハンガー体の端部）
４１  嵌合部
４１ａ  凸部
５０  中央フック
５１  両端フック
１００  ハンガー装置
ＲＡ  回転中心軸（ハンガー体の列方向の回転軸）
【図１】
2009011738.tif 000003
【図２】
2009011738.tif 000004
【図３】
2009011738.tif 000005
【図４】
2009011738.tif 000006
【図５】
2009011738.tif 000007
【図６】
2009011738.tif 000008
【図７】
2009011738.tif 000009
【図８】
2009011738.tif 000010
【図９】
2009011738.tif 000011
【図１０】
2009011738.tif 000012